(57)【要約】【課題】使用者が便器装置に近づく間に眩しさを感じさせず、かつ便器装置の使用に対して不足ない明るさで点灯するトイレルーム照明装置を提供する。【解決手段】トイレルーム照明装置１は、便器装置２が設置されたトイレルーム３に入室した使用者を検知してその検知信号を出力する人体検知部１０と、トイレルーム３の各所を照明する発光部１１と、前記検知信号を受信して発光部１１を点灯させ、その後は前記検知信号から算出される使用者と便器装置２との距離に基づいて、発光部１１の光量を連続的に調節する制御部１２とを備える。【選択図】図１
2016010434.tif 000002
【特許請求の範囲】
【請求項１】
便器装置が設置されたトイレルームに入室した使用者を検知してその検知信号を出力する人体検知部と、
前記トイレルームの各所を照明する発光部と、
前記検知信号を受信して前記発光部を点灯させ、その後は前記検知信号から算出される前記使用者と前記便器装置との距離に基づいて、該発光部の光量を連続的に調節する制御部とを備えることを特徴とするトイレルーム照明装置。
【請求項２】
請求項１において、
前記発光部は、照明方向を異ならせた複数のライトで構成されていることを特徴とするトイレルーム照明装置。
【請求項３】
請求項２において、
前記発光部は、全体照明用ライトと、特定対象物を照明する局所照明用ライトとで構成され、
前記制御部は、前記使用者と前記便器装置との距離が小さくなるにしたがって、前記全体照明ライトの光量を減少させ、かつ前記局所照明ライトの光量を増大させることを特徴とするトイレルーム照明装置。
【請求項４】
請求項３において、
前記全体照明用ライトは、前記便器装置の背面側を広く照明する背面ライトを含んでいることを特徴とするトイレルーム照明装置。
【請求項５】
請求項３又は４において、
前記全体照明用ライトは、前記便器装置の前方床面側を広く照明する足元ライトを含んでいることを特徴とするトイレルーム照明装置。
【請求項６】
請求項３−５のいずれか１項において、
前記全体照明ライトは、前記便器装置の前面側を広く照明する前面ライトを含んでいることを特徴とするトイレルーム照明装置。
【請求項７】
請求項３−６のいずれか１項において、
前記局所照明ライトは、前記便器装置の側方に設置されたリモコン部の周囲を照明する側面ライトを含んでいることを特徴とするトイレルーム照明装置。
【請求項８】
請求項３−７のいずれか１項において、
前記局所照明ライトは、前記便器装置のボウル部を照明する便器ライトを含んでいることを特徴とするトイレルーム照明装置。
【請求項９】
請求項１−８のいずれか１項において、
前記便器装置と一体に構成されていることを特徴とするトイレルーム照明装置。
【請求項１０】
請求項９において、
便座に着座した使用者を検知してその検知信号を出力する着座検知部を更に備え、
前記着座検知部の出力した検知信号に基づいて、前記発光部を部分的に消灯させることを特徴とするトイレルーム照明装置。
【発明の詳細な説明】
【技術分野】
【０００１】
本発明は、便器装置に組み込まれる、又はトイレルームの天井等に設けられる照明装置に関する。
【背景技術】
【０００２】
近時、一部の温水洗浄便器装置は、前記のようにトイレルーム照明装置を組み込んだものがある。そのような便器装置の従来例として、例えば次の特許文献を挙げることができる。この文献には、便器装置に複数の照明器を設けてこれを自動的に点灯させ、トイレルームの照明を点灯しなくても便器装置の位置がわかるようにすることが記載されている。具体的には、使用者がトイレルームに入室するとそれを検出して、便座照明、便蓋照明、ボウル照明が自動的に点灯される。
【先行技術文献】
【特許文献】
【０００３】
【特許文献１】特開２００６−２００３５９号公報
【発明の概要】
【発明が解決しようとする課題】
【０００４】
ところで使用者は、トイレルームに入室してから便器装置の所まで若干の距離を歩いていくことになる。しかしながら前記特許文献の構成では、照明器の明るさは特に制御していないので、トイレルーム中の使用者の位置によって、照明が暗い、又はまぶしいように感じさせてしまうことが考えられる。例えば照明器を便器装置の直前にいる使用者を想定した明るさで点灯させると、トイレルームの入口付近にいる使用者は、それを暗いと感じる可能性がある。本発明はこのような問題に着目してなされたものであり、トイレルームに入室した使用者が便器装置に近づく間に眩しさを感じさせず、かつ便器装置の使用に対して不足ない明るさで点灯するトイレルーム照明装置を提供することを目的としている。
【課題を解決するための手段】
【０００５】
本発明によるトイレルーム照明装置は、便器装置が設置されたトイレルームに入室した使用者を検知してその検知信号を出力する人体検知部と、前記トイレルームの各所を照明する発光部と、前記検知信号を受信して前記発光部を点灯させ、その後は前記検知信号から算出される前記使用者と前記便器装置との距離に基づいて、該発光部の光量を連続的に調節する制御部とを備える。
【発明の効果】
【０００６】
本発明によるトイレルーム照明装置は、使用者と便器装置との距離に基づいて、発光部の光量を連続的に調節するので、使用者が入室してから便器装置を使用する間、まぶしさを感じさせず、かつ使用に対して不足ない明るさとすることができる。
【図面の簡単な説明】
【０００７】
【図１】本実施形態の例とされるトイレルーム照明装置の基本構成を示すブロック図である。
【図２】図１に示したトイレルーム照明装置の具体的な構成を示す斜視図である。
【図３】（ａ）はトイレルームにおける使用者の移動を示す略図、（ｂ）はその移動に対する人体検知部の動作の一例を示すグラフである。
【図４】（ａ）は便器装置に対する使用者の着座を示す略図、（ｂ）はその着座に対する着座検知部の動作の一例を示すグラフである。
【図５】本実施形態における各ライトの明るさ調節の具体例を示すグラフである。
【発明を実施するための形態】
【０００８】
以下、本発明の一実施形態を図面に従って詳細に説明する。
図１は、本実施形態の例とされるトイレルーム照明装置の基本構成を示すブロック図である。図２は、そのトイレルーム照明装置の具体的な構成を示す斜視図である。図１では、便器装置２は見易さのために点線で描いている。
【０００９】
照明装置１は、便器装置２が設置されたトイレルーム３に入室した使用者を検知してその検知信号を出力する人体検知部１０と、トイレルーム３の各所を照明する発光部１１とを備える。制御部１２は、発光部１１への電源供給回路やマイコン等（図示なし）からなる。制御部１２は、人体検知部１０の出力した人体検知信号を受信して発光部１１を点灯させ、その後は人体検知信号から算出される使用者と便器装置２との距離に基づいて、眩しくなくかつ便器装置２の使用に不足ないように、発光部１１の光量を連続的に調節する。本実施形態では、発光部１１は基本的には後述のように複数の光源（ライト）からなる。したがって制御部１２が人体検知信号を受信して発光部１１を点灯させる際には、その複数光源の内の一部のみを点灯させてもよいし、全てを点灯させてもよい。また制御部１２が発光部１１の光量を調節する過程では、複数光源の内の一部のみを調節対象としてもよいし、全てを調節対象としてもよい。なお最初に点灯させなかった光源は、使用者と便器装置２との距離がある値になったときに点灯させ、その後光量を調節する場合もある。以上のようにして発光部１１の光量を連続的に調節すれば、急激な明るさ変化で使用者を覚醒させることもなく、高級感も演出できる。なお発光部１１の光量は、発光部１１に供給する電源を電圧、電流、あるいはＰＷＭ制御する等によって自由に調節できる。
【００１０】
照明装置１は、図２に示すように便器装置２と一体に構成すると、電源配線、設置作業の手間が省けてよいが、便器装置２とは別体としてトイレルーム３の天井面又は壁面に設置してもよい。
【００１１】
人体検知部１０の種別は特に制限されないが、使用者との距離を計測する必要があるので、超音波センサーあるいはマイクロ波センサー等を用いるとよい。人体検知部１０の検知範囲は、便器装置２の側からトイレルーム３の扉側に向かうように設定するとよい。そうすれば便器装置２が扉の正面以外に設置されていても、使用者を検知して便器装置２との距離を算出することが可能になる。
【００１２】
発光部１１は、照明方向を異ならせた複数のライトで構成するとよい。ライトの種別は特に制限されず、白熱灯、蛍光灯、ＬＥＤ灯等が使用できる。ライトの発光色は暖色系にすれば、使用者の覚醒を促しにくいと考えられる。
【００１３】
発光部１１は、具体的には、全体照明用ライトと、特定対象物を照明する局所照明用ライトとで構成するとよい。この場合、制御部１２は、使用者と便器装置２との距離が小さくなるにしたがって、全体照明ライトの光量を減少させ、かつ局所照明ライトの光量を増大させるとよい。使用者の便器装置２への接近に従って全体照明用ライトの光量を減少させることにより、眩しさを防ぐことができる。また局所照明ライトの光量を増すことで便器装置２の使用が容易になる。
【００１４】
更に具体的には、照明装置１は、全体照明用ライトとして、便器装置２の背面側を広く照明する背面ライト１１ａ、便器装置２の前方床面側を広く照明する足元ライト１１ｂ、便器装置２の前面側を広く照明して便器装置２をする前面ライト１１ｃ等を備えるとよい。
【００１５】
一方、照明装置１は、局所照明用ライトとして、便器装置２の側方、つまり便器リモコン４の付近を照明する側面ライト１１ｄ、便器装置２のボウル部を照明する便器ライト１１ｅ等を備えるとよい。
【００１６】
図２の例では、便器装置２の背面に背面ライト（図示なし）が設けられ、前面に足元ライト１１ｂが設けられ、上面の便座枢着部の近傍に、前面ライト１１ｃと、人体検知部１０とが設けられている。また便器装置２の左右側面に側面ライト１１ｄが設けられ、便座の裏面に便器ライト１１ｅが設けられている。ライトの具体的な構造は限定されないが、ここでは、ＬＥＤにカバーを被せたものとしている。なお各ライトの照明範囲Ｚ（方向及び広がり）、人体検知部１０の検知範囲Ｗは、漏斗状図形として概略を示している。
【００１７】
また便座の裏面には、便座に着座した使用者を検知してその検知信号を出力する着座検知部１３を設けている。着座検知部１３は、例えば圧電素子等で構成してもよい。着座検知部１３を設けた場合、着座検知信号に基づいて、発光部１１を部分的に消灯させることが可能になる。例えば便器ライト１１ｅは着座した使用者にとっては不要な照明であるから消灯させて電力消費を抑えるとよい。
【００１８】
なおトイレルーム３はその広さや便器装置２、便器リモコン４の設置位置が住宅によって異なることから、特に、背面ライト１１ａ、足元ライト１１ｂ、側面ライト１１ｄは、その照明範囲Ｚが調節できるようにするとよい。また人体検知部１０の検知範囲Ｗも調節できるようにするとよい。
【００１９】
図３（ａ）、（ｂ）は、トイレルームにおける使用者の移動と、前記人体検知部の動作とを関連付けて説明する図面である。図３（ａ）に示すように、トイレルームに入室した使用者が便器装置２に近づいていくと、使用者と人体検知部１０との距離Ｌは小さくなっていく。一方、図３（ｂ）に示すように、人体検知部１０は、検知対象が近いほど、つまり距離Ｌが小さいほど強い検知信号を出力することが一般的である。具体的には、図３（ａ）において使用者がＡ点（入口）からＢ点（便器装置前）まで移動するときの人体検知信号の変化を、図３（ｂ）では矢印で示している。なお人体検知信号は、トイレルームに使用者がいないときにはゼロになるとは限らない。そのため制御部は、人体検知信号が第１の所定値を超えた時点で使用者の入室を判定し、更に第２の所定値を超えた時点で便器装置前を判定するとよい。
【００２０】
図４（ａ）、（ｂ）は便器装置に対する使用者の着座と、前記着座検知部の動作とを関連させて説明する図面である。着座検知部１３は、便座への荷重に応じた検知信号を出力するものと想定する。その場合、図４（ａ）に示すように使用者が起立状態Ｃから便器装置２に腰を下ろして着座状態Ｄになるとき、着座検知部１３の検知信号はある時点で急峻に変化する。変化後の着座検知信号の値は使用者の体重に依存する。よって制御部は、着座検知信号が所定値を超えた時点で使用者の着座を判定するとよい。
【００２１】
図５は、本実施形態における各ライトの明るさ調節の具体例を示すグラフである。ここでは照明装置は図３に示したように便器装置と一体に構成されていると想定している。
【００２２】
使用者は、時刻Ｔ１でトイレルームに入室して便器装置に近づいていく。そして使用者は、時刻Ｔ２で便器装置前に立ち、時刻Ｔ３で便座に着座している。これに対して、人体検知信号は、時刻Ｔ１で、人体検知によって立ち上がり、それ以後、使用者が便器装置に接近し着座するのに従って強くなっていく。
【００２３】
時刻Ｔ１では、入室判定がなされた結果として、背面ライト、足元ライト、前面ライトが光量大で点灯されている。また側面ライトが光量小で点灯されている。このように使用者が入室した時には、背面ライトによって、トイレルームが暗すぎると感じさせないようにする。また足元ライトにより、便器装置までの間に障害物等がないことを確かめさせ、前面ライトにより、便器装置の場所を把握させることができる。また側面ライトによって便器リモコンの場所も把握させることができる。
【００２４】
使用者が便器装置に近づくにしたがって、背面ライト、足元ライト、前面ライトの光量を減少させていく。これにより、使用者がライトに近づくために感じる眩しさを抑えることができる。一方、側面ライトの光量は増大させていく。そのため便器リモコンが明るく照らされて操作が容易になる。使用者が便器前に到着する直前に便器ライトが光量小で点灯される。
【００２５】
使用者が便器装置前に到達する時刻Ｔ２では、背面ライト、足元ライトは光量小とされ、前面ライトは消灯されている。側面ライト、便器ライトは光量大とされている。便器装置前は、男子が小便をする位置であるが、このときに便器ライトを光量大とすることで、ボウルの適所に向けて小便することが容易になる。また側面ライトを光量大とすることで、小便後にリモコン操作するのも容易である。
【００２６】
時刻Ｔ３では使用者が便座に着座している。着座検知信号は、使用者が便座に着座した時点で立ち上がり、これにより着座判定がなされる。着座判定に基づき、背面ライトは光量中まで明るくされ、足元ライトは消灯されている。また便器ライトも消灯されている。使用者が便器に着座して用便している間は、足元ライト、便器ライトは点灯させる必要がないので、それらを消灯すれば消費電力が抑えられる。背面ライトは、足元ライトを消灯した分だけ明るくするとよい。
【符号の説明】
【００２７】
１      トイレルーム照明装置
２      便器装置
３      トイレルーム
１０      人体検知部
１１      発光部
１１ａ    背面ライト
１１ｂ    足元ライト
１１ｃ    前面ライト
１１ｄ    側面ライト
１１ｅ    便器ライト
１２      制御部
１３      着座検知部
【図１】
2016010434.tif 000003
【図２】
2016010434.tif 000004
【図３】
2016010434.tif 000005
【図４】
2016010434.tif 000006
【図５】
2016010434.tif 000007